(57)【特許請求の範囲】
【請求項１】
金属製の薄板の四周縁に直角状の折曲辺を形成した表裏面板に、前記折曲辺の先端に前記面板の内方側に向けて折曲されて係止孔が所定位置に穿設されたフランジ面を形成し、前記両面板を貼り合わせて箱状のパネルを構成し、前記パネルの内部にはパネルの補強をなす芯材を装填するともに、ドアクローザ等の各種ドア部品を螺着するための裏板もしくは面板の補強部材であって前記係止孔に係止する係止片が形成されているライナー部材を内設したことを特徴とするフレームレスドアパネル。
【請求項２】
前記ライナー部材はパネル外表面に取付けられる部品を螺着しうるビス孔を有していることを特徴とする請求項１記載のフレームレスドアパネル。
【発明の詳細な説明】
【０００１】
【発明の属する技術分野】
本発明は建物の開口部に建付けられる金属製ドアパネルに関し、特にパネル内部にインナーフレームを具備しないフレームレスドアパネルに関するものである。
【０００２】
【従来の技術】
通常、金属製のドアパネルはＣ型チャンネルにて方形状に枠組んだインナーフレームと補強芯材とを一対の表面板にて被包することにより、パネル体を構成していた。ところが近年、パネル重量の軽量化とコストダウンを目的として、従来内部に配設していたインナーフレームを省略して、表面板と芯材のみでパネル体を構成しようとする所謂フレームレスドアが開発されている。この種のフレームレスドアとしては、特開平７−１７３９７２号公報に記載されたもの（図１１参照）が知られているが、このものは所定の形状に裁断した表面板２，３の側端部にコ字型の折曲部２ａ，３ａを形成し、該折曲部の内面に芯材４ａおよび蝶番や錠前などの取り付けライナー１０，１１を接着するとともに、両面板のいずれか一方側の中央部に芯材４ｂを接着し、これら両面板をそれぞれの端部に形成した連結部２００，２０１，３００，３０１を介して連結することによりフレームレスドア１を形成するようにしている。
以上のようにしてなるフレームレスドアはパネル内部にインナーフレームを配設しないため、パネル重量が軽量化されて取付作業が向上するとともに、部品点数が削減されて廉価なドアパネルを提供することができるという優れた効果を有している。
【０００３】
【発明が解決しようとする課題】
ところが、上記従来のフレームレスドアでは、パネル両側縁のコ字型の折曲部２ａ，３ａの内面に、芯材４ａや取付けライナー１０，１１を接着するためにはコ字型の折曲端部を拡開しながら芯材４ａおよび部品取付けライナーを挿入することとなり、非常に作業が困難なばかりか取付け位置がずれるなどのおそれがあった。また、両表面板２，３はパネル表面にて連結しているため、パネル面には一条の連結線Ｌが露出することとなり、パネルのデザインが制約されるなどの問題があった。
【０００４】
【課題を解決するための手段】
本発明は上記の如き実状に鑑み、従来の問題点を一掃すべく創作されたものであって、金属製の薄板の四周縁に直角状の折曲辺を形成した表裏面板に、前記折曲辺の先端に前記面板の内方側に向けて折曲されて係止孔が所定位置に穿設されたフランジ面を形成し、前記両面板を貼り合わせて箱状のパネルを構成し、前記パネルの内部にはパネルの補強をなす芯材を装填するともに、ドアクローザ等の各種ドア部品を螺着するための裏板もしくは面板の補強部材であって前記係止孔に係止する係止片が形成されているライナー部材を内設するように構成した。
【０００５】
前記ライナー部材にはパネル外表面に取付けられる部品を螺着可能なビス孔をあらかじめ穿設するようにした。
【０００６】
【発明の実施の形態】
以下に本発明にかかるフレームレスドアパネルの一実施の形態について、図面に基づき説明する。図１において１はドアパネルであって、該ドアパネル１は金属製の表面板２と裏面板３及び両面板２，３間に内装される芯材４とで構成されている。また、ドアパネル１の外表面には、蝶番５、錠前６、ドアガード７、ドアクローザ８などの各種部品が取付けられている。
【０００７】
図２及び図３に示すように前記表面板２は略長方形状に裁断した金属板を四周縁に直角状の折曲辺２ａ，２ｂ，２ｃ，２ｄを形成するように折り曲げ加工が施されている。前記折曲辺２ａの先端にはパネルの内方側に向けて折曲されたフランジ面２ｅが形成されている。該フランジ面２ｅには後述する各種ライナー部材を係止するためのスリット状の係止孔Ｓが所定の位置に穿設されている。また、上下略中央部位には後述する錠前ライナーが嵌合可能な切欠２ｆが形成されている。
同様に前記折曲辺２ｂの先端にはフランジ面２ｇが形成されており、該フランジ面２ｇにはライナー部材を係止するためのスリット状の係止孔Ｓが穿設されるとともに、後述する蝶番ライナーが嵌合可能な切欠２ｊが形成されている。前記折曲辺２ｃ，２ｄには所定の位置にリベット孔２ｈが穿設されている。表面板２には各種部品の取付け用ビス孔２０がそれぞれ所定の位置に穿設されている。
【０００８】
裏面板３は上記表面板２と同様に四周縁に直角状の折曲辺３ａ，３ｂ，３ｃ，３ｄを有する蓋状体を呈し、該折曲辺３ａ，３ｂにはパネルの内方に向けて折曲されたフランジ面３ｅ，３ｇが形成されている。また、前記折曲辺３ｃ，３ｄにはリベット孔３ｈが穿設されている。
さらに、裏面板３には蝶番５を取り付けるためのビス孔３０が所定の位置に穿設されている。
【０００９】
芯材４はパネル厚さと略同寸法を有するハニカム状のペーパーコアからなり、前記表裏面板２，３間に内装されて、パネルの強度を保持するようになっている。また、前記芯材４の上下端面には予め熱溶融性の接着剤が塗布されており、両面板２，３を固着できるようになっている。
【００１０】
図４において、１０〜１４は各種ライナー部材であって、これらライナー部材はパネルの内面に固着されて、パネルの外表面に取付けられる各種部品を螺着するための裏板としての機能や、表面板の補強部材としての機能を有している。図中、１０は蝶番ライナー、１１は錠前ライナー、１２はドアガードライナー、１３はドアクローザライナー、１４は戸当りライナーを表している。
【００１１】
図５において、前記蝶番ライナー１０は断面が略コ字型に形成された折曲部材であって、パネル表面板２に内接する底面１０１と、該底面と平行する上面１０２およびこれら両面と直交して、表面板２の折曲辺２ｂに内接する垂直面１０３とを有している。前記上面１０２の両側端には下向きに折曲された係止片１０２ａが形成され、上記表面板２のフランジ面２ｇに穿設された係止孔Ｓに係止できるようになっている。
また、垂直面１０３には蝶番５を螺着するためのビス孔１０３ａが穿設されているとともに、両側端部には表面板のフランジ面２ｇに形成された切欠部２ｊに嵌合する嵌合凹部１０３ｂが形成されている。なお、垂直面１０３には必要に応じて鋼製のネジプレートを溶着して補強するようにしてもよい。
【００１２】
図６において、錠前ライナー１１は、アングル状の折曲部材からなる基体１１１と、該基体１１１を被覆する蓋体１１２とからなり、両者はビスＢにて一体的に螺着されて箱状体となるように形成されている。前記基体１１１は表面板２の内面に内接する底面１１１ａと、該底面１１１ａに直交する垂直面１１１ｂとを有し、前記底面１１１ａには錠孔やノブ等の挿通孔が形成されている。また、垂直面１１１ｂには錠前６が挿通する挿通孔１１１ｃが形成されるとともに、上端部両側には下向きに折曲された係止片１１１ｄがそれぞれ形成されて、表面板のフランジ面２ｅに形成した係止孔Ｓに係止できるようになっている。
【００１３】
図７において、ドアガードライナー１２は断面略コ字型の折曲部材からなり、前記表面板に内接する底面１２１と、該底面に平行状に形成される上面１２２および両面と直交する垂直面１２３とを有している。前記底面１２１にはドアガード７が螺着できるようにビス孔１２１ａが穿設されている。一方、前記上面１２２には両側端部に下向きに折曲された係止片１２２ａが形成されて、表面板のフランジ面２ｅに形成された係止孔Ｓに係止できるようになっている。
【００１４】
図８において、ドアクローザライナー１３は、断面略コ字型の折曲部材からなり、前記表面板に内接する底面１３１と、該底面に平行状に形成される上面１３２および両面と直交する垂直面１３３とを有している。前記底面１３１にはドアクローザ８が螺着できるようにビス孔１３１ａが穿設されている。また、前記上面１３２の側縁部には下向きに折曲された係止片１３２ａが形成されて、表面板２のフランジ面２ｇに形成された係止孔Ｓに係止できるようになっている。
【００１５】
図９において、戸当たりライナー１４は、ドアパネルが躯体側に設けられた戸当りに衝突する際の表面板に係る衝撃力を保持する補強部材であって、該戸当りライナー１４は、断面略コ字型の折曲部材からなり、前記表面板に内接する底面１４１と、該底面に平行状に形成される上面１４２および両面と直交する垂直面１４３とを有している。前記上面１４２には両側端部に下向きに折曲された係止片１４２ａが形成され、表面板のフランジ面２ｅに形成された係止孔Ｓに係止できるようになっている。
【００１６】
以下に本発明にかかるドアパネルの組み立て手順を図４に基づいて説明する。
（１）まず、表面板２を内面側が上側となるように載置した後、各種ライナー１０，１１，１２，１３，１４を取付けることとなるが、この際、それぞれのライナーに形成した係止片をフランジ面２ｅ，２ｇに穿設した係止孔Ｓに差し込んで固定する。
（２）次に、あらかじめパネル内部の空隙に合わせて裁断した芯材４を表面板の内面に装填する。
（３）そして、裏面板３の両側部に形成したフランジ面３ｅ，３ｇを表面板２のフランジ面２ｅ，２ｇに重ね合わせるとともに、上下端部の折曲辺３ｃ，３ｄを表面板２の折曲辺２ｃ，２ｄにオーバーラップさせた後、リベットにてそれぞれ鋲着する。
（４）この状態でホットプレス機に通して、パネル面に加熱および加圧することにより、あらかじめ芯材の上下端面に塗布されていた接着剤が溶融して表裏面板２，３の内面を一体的に固着するようになっている。
以上（１）〜（４）までの工程にてドアパネルの組立てが完了し、その後、各種部品を所望のライナー部材に対して螺着することでドアパネルが完成することとなる。
【００１７】
各種ライナー部材と表面板２との係止手段は、上記実施の形態に限らず、たとえば、図１０（ａ）〜（ｄ）のようにしてもよい。以下では蝶番ライナー１０を代表例として説明するが、同様に錠前ライナー１１、ドアガードライナー１２、ドアクローザーライナー１３、および戸当たりライナー１４にも採用することができる。
（ａ）は係止片１０２ａの先端を先細り状に形成した例を示しており、この様にしたことにより係止孔Ｓへの差込作業が容易になるという効果を奏する。（ｂ）は係止辺１０２ａの先端を楔状に形成した例を示しており、この様にしたことにより係止辺１０２ａがフランジ面に形成した係止孔Ｓに係止した後、外れることなく強固に固着することができるという効果を奏する。（ｃ）および（ｄ）は係止辺１０２ａを上向きに突出するように形成した例を示しており、この様にしたことにより、係止辺１０２ａはフランジ面に形成された係止孔Ｓに係着されることとなり、強固に固着することができるという効果を奏する。
【００１８】
以上のように本発明にかかるドアパネルによれば、ドアの内部にインナーフレームを配設していないため、パネル重量を大幅に軽量化することができるうえ、ライナー部材を表面板に容易に固定できるため、取付位置のずれやミスが削減でき、作業性に優れたドアパネルを提供することができる。
また、インナーフレームを配設しない構造にもかかわらず、パネルの両側縁には、断面略コ字型に形成されたライナー部材が固着されるため、パネルの強度を保持させることができる。
また、表裏面板をパネルの側端部にて貼り合わせているため、パネル表面に連結線が露出することがなく、デザイン上の制約を受けることがない。
【図面の簡単な説明】
【図１】本発明に係るフレームレスドアパネルの姿図である。
【図２】表面板の六面図である。
【図３】（ａ）はドアパネルの水平断面図、（ｂ）はドアパネルの垂直断面図である。
【図４】ドアパネルの組立て手順を示す斜視図である。
【図５】（ａ）は蝶番ライナーの取付け状態を示す平面図、（ｂ）は蝶番ライナーの取付け状態を示す側面図、（ｃ）は蝶番ライナーの取付け状態を示す部分断面図である。
【図６】（ａ）は錠前ライナーの取付け状態を示す側面図、（ｂ）は錠前ライナーの取付け状態を示す平面図、（ｃ）は錠前ライナーの取付け状態を示す断面図である。
【図７】（ａ）はドアガードライナーの取付け状態を示す平面図、（ｂ）はドアガードライナーの取付け状態を示す側面図、（ｃ）はドアガードライナーの取付け状態を示す断面図である。
【図８】（ａ）はドアクローザライナーの取付け状態を示す断面図、（ｂ）はドアクローザライナーの取付け状態を示す平面図である。
【図９】（ａ）は戸当りライナーの取付け状態を示す平面図、（ｂ）は戸当りライナーの取付け状態を示す断面図である。
【図１０】（ａ）（ｂ）（ｃ）（ｄ）は他の係止手段を示す作用断面図である。
【図１１】従来技術におけるフレームレスドアの断面図である。
【符号の説明】
１  ドアパネル
２  表面板
２a  折曲辺
３  裏面版
３a  折曲辺
４  芯材
１０  蝶番ライナー
１１  錠前ライナー
１２  ドアガードライナー
１３  ドアクローザライナー
１４  戸当りライナー
１０２ａ，１１１ｄ，１２２ａ，１３２ａ，１４２ａ  係止片
Ｓ  係止孔
【図１】
0003740572.tif 000002
【図２】
0003740572.tif 000003
【図３】
0003740572.tif 000004
【図４】
0003740572.tif 000005
【図５】
0003740572.tif 000006
【図６】
0003740572.tif 000007
【図７】
0003740572.tif 000008
【図８】
0003740572.tif 000009
【図９】
0003740572.tif 000010
【図１０】
0003740572.tif 000011
【図１１】
0003740572.tif 000012